(57)【要約】【課題】操作性を向上させた操作装置及び操作システムを提供する。【解決手段】操作装置１は、操作面１２２を有し、操作面１２２に検出対象物が接触又は近接したことを検出するとともに、検出対象物による操作に基づく操作面１２２上の検出対象物の移動量を検出する検出部１２と、操作面１２２を押下げる操作により押下げられた操作面１２２の基準位置からの変位量を測定する測定部１４と、操作面１２２に検出対象物が接触又は近接した際に、検出部１２が検出対象物を検出する感度を算出する算出手段１１２と、測定部１４が測定した変位量と、算出手段１１２が算出した感度とに基づいて検出対象物の移動量を補正する補正手段１１１と、を備える。【選択図】図１
2015133043.tif 000002
【特許請求の範囲】
【請求項１】
操作面を有し、前記操作面に検出対象物が接触又は近接したことを検出するとともに、検出対象物による操作に基づく前記操作面上の前記検出対象物の移動量を検出する検出手段と、
前記操作面を押下げる操作により押下げられた前記操作面の基準位置からの変位量を測定する測定手段と、
前記操作面に前記検出対象物が接触又は近接した際に、前記検出手段が前記検出対象物を検出する感度を算出する算出手段と、
前記測定手段が測定した前記変位量と、前記算出手段が算出した前記感度とに基づいて前記検出対象物の前記移動量を補正する補正手段と、
を備えた操作装置。
【請求項２】
前記補正手段は、前記変位量と第１の補正係数とを関連つけた第１のテーブルと、前記感度と第２の補正係数とを関連つけた第２のテーブルとを有し、前記第１のテーブル又は前記第２のテーブルの少なくとも一方を用いて前記移動量を補正する、
請求項１に記載の操作装置。
【請求項３】
前記補正手段は、前記変位量が所定の値より小さいとき、前記第２のテーブルを用いて前記移動量を補正し、前記変位量が前記所定の値以上であるとき、前記第１のテーブルを用いて前記移動量を補正する、
請求項２に記載の操作装置。
【請求項４】
操作面を有し、前記操作面に検出対象物が接触又は近接したことを検出するとともに、検出対象物による操作に基づく前記操作面上の前記検出対象物の移動量を検出する検出手段と、
前記操作面を押下げる操作により押下げられた前記操作面の基準位置からの変位量を測定する測定手段と、
前記操作面に前記検出対象物が接触又は近接した際に、前記検出手段が前記検出対象物を検出する感度を算出する算出手段と、
前記測定手段が測定した前記変位量と、前記算出手段が算出した前記感度とに基づいて前記検出対象物の前記移動量を補正する補正手段と、
各種の操作項目及び前記操作項目を選択するポインタを表示する表示手段と、
前記補正手段により補正された前記検出対象物の前記移動量に基づいて、前記表示手段に表示されるポインタの移動量を制御する制御手段と、
を備えた操作システム。
【発明の詳細な説明】
【技術分野】
【０００１】
本発明は、操作装置及び操作システムに関する。
【背景技術】
【０００２】
従来の技術として、タブレット上で入力指示されたときの圧力を検出する圧力検出手段を備え、圧力検出手段が検出した圧力に基づいて、タブレット上のカーソルの移動速度を算出する座標入力装置が記載されている。
（例えば、特許文献１参照。）。
【先行技術文献】
【特許文献】
【０００３】
【特許文献１】特開平１０−２１００９号公報
【発明の概要】
【発明が解決しようとする課題】
【０００４】
しかし、従来の座標入力装置は、操作者が指等によってタブレットを押圧せずに操作を行った場合、タブレットに対する圧力に基づいてカーソル移動速度を変えることができないことから、タブレットをなぞる操作の回数が増えるという座標入力装置の操作性に問題があった。
【０００５】
したがって、本発明の目的は、操作性を向上させた操作装置及び操作システムを提供することにある。
【課題を解決するための手段】
【０００６】
本発明の一態様は、操作面を有し、前記操作面に検出対象物が接触又は近接したことを検出するとともに、検出対象物による操作に基づく前記操作面上の前記検出対象物の移動量を検出する検出手段と、前記操作面を押下げる操作により押下げられた前記操作面の基準位置からの変位量を測定する測定手段と、前記操作面に前記検出対象物が接触又は近接した際に、前記検出手段が前記検出対象物を検出する感度を算出する算出手段と、前記測定手段が測定した前記変位量と、前記算出手段が算出した前記感度とに基づいて前記検出対象物の前記移動量を補正する補正手段と、を備えた操作装置を提供する。
【０００７】
また、本発明の他の形態は、操作面を有し、前記操作面に検出対象物が接触又は近接したことを検出するとともに、検出対象物による操作に基づく前記操作面上の前記検出対象物の移動量を検出する検出手段と、前記操作面を押下げる操作により押下げられた前記操作面の基準位置からの変位量を測定する測定手段と、前記操作面に前記検出対象物が接触又は近接した際に、前記検出手段が前記検出対象物を検出する感度を算出する算出手段と、前記測定手段が測定した前記変位量と、前記算出手段が算出した前記感度とに基づいて前記検出対象物の前記移動量を補正する補正手段と、各種の操作項目及び前記操作項目を選択するポインタを表示する表示手段と、前記補正手段により補正された前記検出対象物の前記移動量に基づいて、前記表示手段に表示されるポインタの移動量を制御する制御手段と、を備えた操作システムを提供する。
【発明の効果】
【０００８】
本発明によれば、操作性を向上させることができる。
【図面の簡単な説明】
【０００９】
【図１】図１は、操作装置及び電子機器のブロック図である。
【図２】図２は、本発明の実施の形態に係る操作装置の分解斜視図である。
【図３】図３（ａ）は、検出部が基準位置にある場合の操作装置の側面図であり、（ｂ）は、検出部が押下操作により押下げられた位置にある場合の操作装置の側面図である。
【図４】図４は、検出部への押下操作と検出部が検出対象物を検出する感度の関係の概略を示す図である。
【図５】図５（ａ）は、検出部の移動量と補正係数Ａ〜Ｄとが関係付けられた第１のテーブルを示す図である。（ｂ）は、感度と補正係数Ｌ〜Ｐとが関係付けられた第２のテーブルを示す図である。
【図６】図６は、操作面に対するなぞり操作と表示部上を移動するポインタとの関係を示す模式図である。
【図７】図７は、操作装置の動作を示すフローチャートである。
【発明を実施するための形態】
【００１０】
[実施の形態]
図１は、本発明の実施の形態に係る操作装置及び電子機器のブロック図である。図２は、操作装置の展開図である。
【００１１】
操作装置１は、一例として、車両に搭載された電子機器の操作を行うことができるように構成されている。操作装置１は、例えば、車両内のセンターコンソールなどの運転席周辺部に配置されている。また、操作装置１は、例えば、車両に搭載された電子機器２に電気的に接続されている。
【００１２】
操作装置１は、操作面１２２を有し、操作面１２２に検出対象物が接触又は近接したことを検出するとともに、操作面１２２上をＸ、Ｙ方向に移動する操作対象物の移動量を検出する検出部１２と、操作面１２２を押下げる押下操作によりＺ方向に変位する検出部１２の変位量を測定する測定部１４と、操作装置１の各部を制御する制御部２２と、検出部１２を下方から支持し、操作面１２２への押下動作による検出部１２の昇降を可能にする昇降機構部１３と、検出部１２の基準位置を検出する基準位置検出部１５と、制御部１１等が実装される基板３２とを備える。なお、検出部１２は、検出手段の一例であり、測定部１４は、測定手段の一例である。
【００１３】
この操作装置１の本体３ａは、図２に示すように、下方に向けて開口して形成されている。また、本体３ａは、検出部１２等のそれぞれの構成部品が組み込まれている。この操作装置１の下蓋３ｂは、本体３ａの下方の開口を覆うように構成されている。また、下蓋３ｂは、基板３２が取り付けられるように構成されている。
【００１４】
（電子機器）
電子機器２は、図１に示すように、各種の操作項目及び操作項目を選択するポインタを表示する表示部２１と、後述する補正手段１１１により補正された検出対象物の移動量に基づいて、表示部２１に表示されるポインタの移動量を制御する制御部２２とを備える。電子機器２は、操作装置１に電気的に接続されるカーナビゲーションシステムやカーステレオ等の各種の機能を有する機器である。なお、表示部２１は、表示手段の一例であり、制御部２２は、制御手段の一例である。
【００１５】
電子機器２は、操作装置１から入力した操作情報に基づいて表示部２１上のポインタを移動させ、表示部２１に表示されたアイコン等の選択項目を選択することで各種の機能を発揮するように構成されている。なお、操作システムは、操作装置１及び電子機器２を含んで構成される。
【００１６】
（検出部）
図３（ａ）は、検出部が基準位置にある場合の操作装置の側面図であり、（ｂ）は、検出部が押下操作により押下げられた位置にある場合の操作装置の側面図である。
【００１７】
検出部１２は、図２、図３に示すように、板形状のベース１２０に操作面１２２を有するタッチセンサ基板が組み付けられることで概略構成されている。
【００１８】
このベース１２０には、本体３ａの上面３００に形成された貫通孔に挿入される複数の弾性部材１２１ａと、本体３ａに形成された案内孔に沿って移動する一対の案内部材１２１ｂと、操作面への押下操作に伴う検出部の昇降運動に連動する一対の連結部材１２１ｃとのそれぞれが昇降機構部１３側に向けて設けられている。
【００１９】
検出部１２は、一例として、検出対象物と電極との間に生じる静電容量に基づいて検出対象物の位置座標検出する静電容量式のタッチセンサである。本実施の形態では、検出対象物を指であるものとするが、これに限定されず、導電性を有するペン等であってもよい。
【００２０】
この検出部１２は、例えば、静電容量の変化によって操作面１２２になされたタッチ操作、なぞり操作等を検出することができるように構成されている。タッチ操作とは、例えば、操作面１２２に指を接触又は近接させる操作をいう。なぞり操作とは、例えば、操作面１２２に指を接触又は近接させたまま移動させる操作をいう。
【００２１】
検出部１２の操作面１２２には、ｘｙ座標系が設定されており、このｘｙ座標系は、一例として、ｘ軸及びｙ軸の座標が、（０，０）〜（２５５，２５５）となるように構成されている。検出部１２は、加重平均等の周知の方法により操作面１２２に対して検出対象物が接触又は近接した座標を検出する。また、検出部１２は、例えば、読み出した静電容量に基づいて操作面１２２に操作がなされたか否かを判定する。
【００２２】
さらに、検出部１２は、検出対象物により操作面１２２になぞり操作がされた場合、なぞり操作により検出された座標の変化に基づいて、検出対象物の移動量及び移動方向を検出するように構成されている。例えば、検出部１２は、操作面１２２に検出対象物によるなぞり操作が行われた場合、１秒毎に操作面１２２に設定された座標を検出する等の周知の方法により、操作面１２２上を移動する検出対象物の移動量及び移動方向を検出する。
【００２３】
検出部１２は、操作面１２２に操作がなされたと判定した場合、検出対象物の移動量及び移動方向等を含む検出情報を制御部１１に出力する。なお、検出部１２は、検出した座標を制御部１１に出力し、制御部１１が検出対象物の移動量及び移動方向を算出するように構成してもよい。
【００２４】
（測定部）
測定部１４は、図２、図３に示すように、エンコーダ１４０と、回転角センサ１４１とを備えている。この測定部１４は、支持軸１３１を回転中心としたエンコーダ１４０の回転角を測定することにより、検出部１２のＺ方向の変位量を測定するように構成されている。
【００２５】
すなわち、測定部１４は、操作面に対して押下操作がされることによってエンコーダ１４０は、図３（ａ）に示される位置から図３（ｂ）に示される位置に回転し、このエンコーダ１４０の回転角から検出部の変位量を測定する。
【００２６】
このエンコーダ１４０は、一例として、インクリメント型のスリット円板であり、複数のスリット１４０ａが設けられている。したがって、測定部１４は、インクリメント型のロータリーエンコーダとして機能する。
【００２７】
エンコーダ１４０は、基板３２に配置された回転角センサ１４１に設けられた隙間ｄ１に、自身の一部が挿入される。回転角センサ１４１は、例えば、挿入されたエンコーダ１４０を挟んで対向する発光部と受光部を有し、発光部から出力した光を受光部で受光する構成を備えている。この受光部は、エンコーダ１４０のスリット１４０ａを通り抜けた光を受光すると、パルス信号を出力するように構成されている。
【００２８】
回転角センサ１４１は、受光部からのパルス信号をカウントしたカウント値に基づいて検出部１２の変位量を測定し、測定した変位量を含む測定情報を制御部１１に出力する。このカウント値は、正の整数である。なお、回転角センサ１４１は、カウント値を制御部１１に出力し、制御部１１が検出部１２の変位量を算出する構成としてもよい。また、１パルス当たりの検出部１２の変位量、つまり分解能は、一例として、０．０１４ｍｍである。
【００２９】
（基準位置検出部）
基準位置検出部１５は、検出部１２が基準位置にあるか否かを検出するセンサである。基準位置検出部１５は、測定部１４がインクリメント型のロータリーエンコーダであることから、測定部により検出部１２が基準位置にあるのか否かを検出することができないため、設けられている。この基準位置検出部１５は、ホルダ１３４に設けられた円板１５０と、基板３２に設けられたセンサ１５１とを備える。
【００３０】
円板１５０は、例えば、扇型を有している。センサ１５１は、例えば、対向する発光部と受光部を有し、発光部から出力した光を受光部で受光するように構成されている。
【００３１】
検出部１２が図３（ａ）に示す基準位置にある場合、円板１５０は、例えば、センサ１５１の発光部から出力された光を受光部に受光させる位置にある。検出部１２が図３（ｂ）に示す基準位置から押し込まれた位置にある場合、円板１５０は、例えば、発光部から出力された光を遮る位置に回転する。基準位置検出部１５は、検出部１２が基準位置に位置するか否かを示す基準位置検出情報を生成して制御部１１に出力する。
【００３２】
上記の測定部１４と基準位置検出部１５により、検出部１２の位置、すなわち、操作面１２２の高さＺが算出される。
【００３３】
（昇降機構部１３の構成）
昇降機構部１３は、図２に示すように、操作装置１の本体３ａに回転可能に支持された支持軸１３１と、検出部１２の連結部材１２１ｃに連結されると共に支持軸１３１と一体とされ、支持軸１３１と共に回転し、連結部材１２１ｃを介して検出部１２を昇降させる回転部材１３２とを備える。
【００３４】
また、昇降機構部１３は、回転部材１３２が取り付けられた反対側の端部に、回転部材１３２の回転角を検出するための後述するエンコーダ１４０を保持するホルダ１３４が取り付けられている。
【００３５】
この回転部材１３２には、トーションバネ１３６の一端が取り付けられ、他端が本体３ａに取り付けられている。回転部材１３２は、一方向に向けて常に蓄積した弾性力を付勢するように構成されている。この弾性力は、駆動された回転部材１３２を基準位置に戻す方向に付勢される。
【００３６】
ホルダ１３４は、支持軸１３１が挿入される挿入孔１３４ｂを有する基部１３４ａを有する。この基部１３４ａの偏心位置には、連結ピン１３４ｃが突出している。
【００３７】
この連結ピン１３４ｃは、検出部１２の連結部材１２１ｃに形成された挿入凹部１２１ｄに挿入されている。この連結ピン１３４ｃと連結部材１２１ｃとの連結により、ホルダ１３４は、検出部１２への押下操作に連動して昇降機構部１３の支持軸１３１を回転中心として回転する。
【００３８】
（制御部）
制御部１１は、例えば、取得したデータに演算、加工等を行うＣＰＵ（Central Processing Unit）等から構成されるマイクロコンピュータである。制御部１１は、半導体メモリであるＲＡＭ（Random Access Memory）及びＲＯＭ（Read Only Memory）から構成される記憶部１６に格納されたプログラムに従って動作することにより補正手段１１１及び算出手段１１２として機能する。また、記憶部１６は、後述する第１のテーブル１６ａ及び第２のテーブル１６ｂを格納する。
【００３９】
算出手段１１２は、検出部１２から検出部１２の電極と検出対象物との間の静電容量の値を取得し、操作面１２２に検出対象物が接触又は近接したときの静電容量の値の変化等に基づいて、検出部１２が検出対象物を検出する感度を算出するように構成されている。なお、算出手段１１２は、検出対象物が操作面１２２に占める面積を操作面１２２の座標値から算出し、この面積に基づいて感度を算出するように構成してもよい。
【００４０】
補正手段１１１は、検出部１２から検出対象物の移動量を取得し、後述するように、測定部１４が測定した検出部１２の変位量と算出手段１１２が算出した感度とに基づいて補正係数を選択し、検出対象物の移動量に選択した補正係数を乗じて検出対象物の移動量を補正する。
【００４１】
制御部１１は、補正手段１１１が補正した検出対象物の移動量及び検出対象物の移動方向に基づいて、移動量及び移動方向を含む操作情報を生成するように構成されている。制御部１１は、電子機器２に生成した操作情報を出力することにより、電子機器２の表示部２１に表示されるポインタを移動させる。
【００４２】
なお、補正手段１１１及び算出手段１１２は、それぞれ一部又は全部を再構成可能回路（ＦＰＧＡ：Field Programmable Gate Array)、特定用途向け集積回路（ＡＳＩＣ：Application Specific Integrated Circuit）等のハードウエアによって構成してもよい。
【００４３】
（補正手段）
次に、補正手段１１１について詳細に説明する。図４（ａ）は、検出部１２の変位量としての操作面１２２の高さＺと検出部１２が検出対象物を検出する感度との関係の概略を示す図である。図５（ａ）は、検出部の移動量と補正係数Ａ〜Ｄとが関係付けられた第１のテーブルを示す図である。（ｂ）は、感度と補正係数Ｌ〜Ｐとが関係付けられた第２のテーブルを示す図である。
【００４４】
なお、図４において、変位量０は、検出部１２が基準位置にあることを意味し、変位量０〜ｅは、変位量が０からｅに向かって大きくなることを示している。図４において、感度０は、検出対象物が操作面に近接した状態を含むものであり、感度０〜ｐは、感度が０からｐに向かって大きくなることを示している。また、図４中の破線は、押下操作によって押下げられた操作面１２２を示している。
【００４５】
補正手段１１１は、検出部１２の変位量０〜ｅと補正係数Ａ〜Ｄとを関連つけた第１のテーブル１６ａと、算出手段１１２が算出した感度０〜ｐと補正係数Ｌ〜Ｐを関連つけた第２のテーブル１６ｂとを記憶部１６から読み出して検出対象物の移動量を補正するように構成されている。なお、補正係数Ａ〜Ｄは、第１の補正係数の一例であり、補正係数Ｌ〜Ｐは、第２の補正係数の一例である。
【００４６】
補正手段１１１は、検出部１２の変位量が小さな範囲（０〜ａの範囲）では、第２のテーブル１６ｂにより検出対象物の移動量を補正し、検出部１２の変位量が大きな範囲では、第１のテーブル１６ａにより検出対象物の移動量を補正する。
【００４７】
すなわち、第１のテーブル１６ａには、検出部１２の変位量が小さな０〜ａの範囲で感度による補正を行うために、検出部１２の変位量が基準位置（変位量０）からａの範囲に第２のテーブル１６ｂが割り当てられ、検出部１２の変位量の他の範囲には、操作面１２２に押下操作がされた場合を想定した補正係数Ａ〜Ｄが割り当てられている。
【００４８】
補正手段１１１は、操作面１２２に押下操作がされた場合、検出部１２の変位量がａ〜ｂの範囲では、検出対象物の移動量に補正係数Ａを乗じて検出対象物の移動量を補正し、検出部１２の変位量がａ〜ｂの範囲よりも検出部１２の変位量が大きなｂ〜ｃの範囲では、補正係数Ａよりも大きな補正係数Ｂを検出対象物の移動量に乗じて検出対象物の移動量を補正する。
【００４９】
補正手段１１１は、変位量がｃ〜ｄの範囲、ｄ〜ｅの範囲においては、補正係数Ｂよりも大きな補正係数Ｃ、補正係数Ｃよりも大きな補正係数Ｄをそれぞれ検出対象物の移動量に乗じて検出対象物の移動量を補正する。
【００５０】
第２のテーブル１６ｂには、算出手段１１２が測定した感度により補正を行うため、感度のそれぞれの範囲に操作面１２２を押下げずになぞり操作を行う場合を想定した補正係数（Ｌ〜Ｐ）が割り当てられている。また、第２のテーブルのｌ〜ｍの範囲に割り当てられた補正係数Ｍを通常のなぞり操作を行う場合の基準として値を１．０としている。すなわち、補正手段１１１は、感度がｌ〜ｍの範囲である場合、検出対象物の移動量を補正せずに制御部１１を介して電子機器２に出力する。なお、補正手段１１１は、感度がｌ〜ｍの範囲である場合でも所定の補正係数により検出対象物の移動量を補正する構成としてもよい。
【００５１】
補正手段１１１は、第２のテーブル１６ｂによりｌ〜ｍよりも感度が小さな０〜ｌの範囲では、値がＭより補正係数が小さな補正係数Ｌを用いて検出対象物の移動量を補正し、ｌ〜ｍよりも感度が大きなｍ〜ｎの範囲では、補正係数がＭよりも大きな補正係数Ｎを用いて検出対象の移動量を補正する。補正手段１１１は、感度がｍ〜ｎの範囲より感度が大きなｎ〜ｐの範囲では、補正係数Ｎよりも大きな補正係数Ｐを用いて検出対象の移動量を補正する。
【００５２】
補正係数Ａ〜Ｄの値は、例えば、補正係数Ｍを基準に１．０として、補正係数Ａを１．５、補正係数Ｂを２．０、補正係数Ｃを２．５、補正係数Ｄを３．０にするように、補正係数Ａ〜Ｄの値を検出部の移動量に比例する値としてもよい。
【００５３】
また、補正係数Ｌ〜Ｐの値は、補正係数Ｍを基準に１．０として、例えば、補正係数Ｌを０．９、補正係数Ｎを１．１、補正係数Ｐを１．２のように、感度に比例する値としてもよい。
【００５４】
（操作装置の動作）
次に、操作装置の動作について説明する。図６は、操作面に対するなぞり操作と表示部上を移動するポインタとの関係を示す模式図である。図７は、に操作装置の動作を示すフローチャートである。
【００５５】
操作装置１を操作する操作者が操作面１２２に対して指４をＰ１１からＰ１２に移動させるなぞり操作を行うと、操作装置１の補正手段１１１は、検出部１２が検出したＰ１１とＰ１２との間のＸ、Ｙ方向の移動量、移動方向、算出手段が算出した感度、及び測定部１４が測定した検出部１２のＺ方向の変位量を取得する。
【００５６】
補正手段１１１は、検出部１２の変位量がａ以上であるか否かを判断する（Ｓ１）。補正手段１１１は、検出部１２の移動量がａ以上であると判断した場合（Ｓ１：Ｙｅｓ）、指の移動量に基づいて第１のテーブル１６ａの補正係数Ａ〜Ｄのいずれかを選択し、補正係数Ａ〜Ｄのいずれかを乗じて指４の移動量を補正する（Ｓ２）。
【００５７】
補正手段１１１は、検出部１２の移動量がａより小さいと判断した場合（Ｓ１：Ｎｏ）、算出手段が算出した感度に基づいた第２のテーブルの補正係数Ｌ〜Ｐのいずれかを選択し、補正係数Ｌ〜Ｐのいずれかを乗じて指４の移動量を補正する（Ｓ３）。
【００５８】
制御部１１は、ステップ２又はステップ３で補正手段１１１により補正された検出対象物の移動量及び検出対象物の移動方向を取得し、検出対象物の移動量及び移動方向を含む操作情報を作成して電子機器２に出力する（Ｓ４）。
【００５９】
電子機器２は、制御部１１から操作情報を入力すると、入力した操作情報に基づいて表示部２１に表示されたポインタ５をＰ２１からＰ２２に移動する。
【００６０】
制御部１１は、検出部１２から指の検出情報を取得し、操作面１２２に対して操作がされているか否かを判断する（Ｓ４）。制御部１１が操作面１２２に対して操作がされていると判断した場合（Ｓ４：Ｙｅｓ）、ステップ１からの処理を繰り返し実行する。制御部１１は、操作面に対して操作がされていないと判断した場合（Ｓ４：Ｎｏ）、検出対象物の移動量を補正する処理を終了する。
【００６１】
（実施の形態の効果）
実施の形態によれば、以下の効果を奏する。
（１）検出部１２のＺ方向の変位量に基づいて検出対象物のＸ、Ｙ方向の移動量を補正することにより、操作者が検出部１２を押下げる押圧力に応じて表示部２１に表示されたポインタの移動量を増加させることができる。これにより、表示部２１に表示されたアイコン等にポインタを相対座標入力により移動させるためのなぞり操作の回数を低減させることができるので、操作装置１の操作性を向上させることが可能になる。
（２）検出部１２の変位量に基づいて表示部２１上のポインタの移動量を補正することにより、操作者が操作面１２２を押下げて操作する際に、検出部１２が検出対象を検出する感度が飽和する場合、すなわち、操作面１２２を押下げることで操作面１２２に接触する操作者の指の面積が飽和する場合でも、操作者の操作によってポインタ移動量を補正することが可能になる。
（３）検出部１２の変位量が多くない場合においても、算出手段１１２が測定した感度に基づいて検出対象物の移動量を補正することにより、操作者が検出部１２を押下げずに、例えば操作面に接触する指の面積を変化させることにより、表示部２１に表示されたポインタの移動量を増加又は減少させることができる。これにより、操作装置１の操作性をより向上させることができる。
（４）検出部１２の変位量及び検出対象物の感度に基づいて検出対象物の移動量を補正することにより、検出部１２の変位量が変化しない場合であっても、検出対象物の移動量を補正することができるので、動的に検出対象物の移動量を補正できる範囲を拡大することができる。
【００６２】
［変形例］
なお、本発明の実施の形態は、上記各実施の形態に限定されるものではなく、本発明の要旨を変更しない範囲内で種々に変形、実施が可能である。例えば、測定部１４は、検出部１２の昇降運動を、回転部材１３２の回転運動に変換して検出部１２の基準位置からの移動量を測定していたが、これに限定されず、検出部１２の昇降を直接測定する構成であってもよい。つまり、測定部１４は、一例として、リニアエンコーダとして構成されてもよい。
【００６３】
また、測定部１４は、検出部１２の変位量を圧力センサにより測定するものとしてもよい。
【００６４】
また、第１のテーブル１６ａには、検出部１２の変位量に比例した補正係数を割り当てていたが、検出部の変位量に比例しない値、例えば、補正係数Ｍを１．０として、補正係数Ａを１．５、補正係数Ｂを１．７、補正係数Ｃを２．３、補正係数Ｄを３．０としてもよい。
【００６５】
また、第２のテーブル１６ｂには、算出手段１１２が算出した感度に比例して補正係数を割り当てていたが、感度に比例しない値、例えば、補正係数Ｍを１．０として、補正係数Ｌを０．５、補正係数Ｎ１．２、補正係数Ｐを１．４としてもよい。
【００６６】
また、補正手段１１１及び算出手段１１２を電子機器２の制御部２２により実現してもよい。
【００６７】
また、操作装置１がポインタの移動量を補正し、電子機器２は補正されたポインタの移動量に基づいてポインタを移動させる構成としてもよい。
【００６８】
また、例えば本発明の要旨を変更しない範囲内で、上記実施の形態の構成要素の一部を省くことが可能であり、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することもできる。
【符号の説明】
【００６９】
１…操作装置、２…電子機器、３ａ…本体、３ｂ…下蓋、１１…制御部、１２…検出部、１３…昇降機構部、１４…測定部、１５…基準位置検出部、１６…記憶部、１６ａ…第１のテーブル、１６ｂ…第２のテーブル、２１…表示部、２２…制御部、３２  基板、１１１…補正手段、１１２…算出手段、１２０…ベース、１２１ａ…弾性部材、１２１ｂ…案内部材、１２１ｃ…連結部材、１２１ｄ…挿入凹部、１２２   …操作面、１３１…支持軸、１３２…回転部材、１３４…ホルダ、１３４ａ…基部、１３４ｂ…挿入孔、１３４ｃ…連結ピン、１３６…トーションバネ、１４０…エンコーダ、１４０ａ…スリット、１４１…回転角センサ、１５０…円板、１５１…センサ、３００…上面
【図１】
2015133043.tif 000003
【図２】
2015133043.tif 000004
【図３】
2015133043.tif 000005
【図４】
2015133043.tif 000006
【図５】
2015133043.tif 000007
【図６】
2015133043.tif 000008
【図７】
2015133043.tif 000009